(57)【要約】【課題】弾球遊技機に対する磁石を用いた不正行為を防ぐ技術を提供する。【解決手段】遊技盤カバー体９は、２枚の透明なガラス板３１ａ，３１ｂからなるガラス板対３２と、ガラス板対３２の周縁部に環状に配置され、２枚のガラス板３１ａ，３１ｂを、間隔を空けて対向配置させるスペーサー３３と、対向配置された２枚のガラス板３１ａ，３１ｂの周端面を封止するシール材３４と、を備えた複層ガラス構造を有する。遊技盤カバー体９は、４つの磁気検知部３６ａ，３６ｂ，３６ｃ，３６ｄを備える。磁気検知部３６ａ，３６ｂ，３６ｃ，３６ｄは、それぞれがガラス板対３２の前面３２ｂ且つ周縁部に設置されている。磁気検知部３６ａ，３６ｂ，３６ｃ，３６ｄは、磁気インピーダンス効果を利用した磁気センサーであり、磁気の発生源となる磁石が遊技盤カバー体９の前面側に配置された場合に、その磁石が発生させる磁気を検知する。【選択図】図２
2017086680.tif 000002
【特許請求の範囲】
【請求項１】
弾球遊技機の前端部に形成された開口部を閉鎖しながら、前記弾球遊技機に収容された遊技盤との間に遊技領域となる空間を形成する遊技盤カバー体であって、
２枚の透明な板状のガラス板からなるガラス板対と、該ガラス板対の周縁部に環状に配置され、該ガラス板対を構成する２枚のガラス板を、間隔を空けて対向配置させるスペーサーと、前記スペーサーにより対向配置された２枚のガラス板の周端面を封止するシール材と、を備えた複層ガラス構造を有し、
さらに、前記ガラス板対の前記遊技盤と対向する側とは反対側に位置する面である前面に配置され、磁気を検知する一つ以上の磁気検知部を備えること
を特徴とする遊技盤カバー体。
【請求項２】
請求項１に記載の遊技盤カバー体において、
前記一つ以上の磁気検知部は、それぞれが前記ガラス板対の前面且つ周縁部に配置されること
を特徴とする遊技盤カバー体。
【請求項３】
請求項１または請求項２に記載の遊技盤カバー体において、
前記一つ以上の磁気検知部は、それぞれが磁気インピーダンス効果を利用した磁気センサーであること
を特徴とする遊技盤カバー体。
【請求項４】
遊技機設置島に固定される外枠と、
前記外枠に扉状に開閉可能に取り付けられ、遊技盤を保持する中枠と、
前記中枠の前面側に扉状に開閉可能に取り付けられ、前記中枠が保持する前記遊技盤を視認可能とする開口部が形成され、前記開口部を閉鎖するとともに前記遊技盤を覆う遊技盤カバー体を保持する前枠と、
を備え、前記遊技盤カバー体と前記遊技盤との間に遊技領域となる空間が形成され、発射装置にて発射された遊技球が前記遊技領域を転動することで遊技を行う弾球遊技機であって、
前記遊技盤カバー体は、２枚の透明な板状のガラス板からなるガラス板対と、該ガラス板対の周縁部に環状に配置され、該ガラス板対を構成する２枚のガラス板を、間隔を空けて対向配置させるスペーサーと、前記スペーサーにより対向配置された２枚のガラス板の周端面を封止するシール材と、を備えた複層ガラス構造を有し、さらに、前記ガラス板対の前記遊技盤と対向する側とは反対側に位置する面である前面に配置され、磁気を検知する一つ以上の磁気検知部を備えること
を特徴とする弾球遊技機。
【請求項５】
請求項４に記載の弾球遊技機において、
前記一つ以上の磁気検知部は、それぞれが前記ガラス板対の前面且つ周縁部に配置されること
を特徴とする弾球遊技機。
【請求項６】
請求項４または請求項５に記載の弾球遊技機において、
前記一つ以上の磁気検知部は、それぞれが磁気インピーダンス効果を利用した磁気センサーであること
を特徴とする弾球遊技機。
【発明の詳細な説明】
【技術分野】
【０００１】
本発明は、パチンコ機などの弾球遊技機の技術分野に関する。
【背景技術】
【０００２】
弾球遊技機においては、遊技盤の前方にガラス板が配されて、そのガラス板と遊技盤との間に遊技領域となる空間が形成される。遊技領域には入賞装置や遊技釘、風車等が配置され、発射装置にて発射されて遊技領域に撃ち込まれた遊技球の挙動によって遊技が行われ、入賞等が成立すれば遊技球（賞球）が払い出されるようになっている。
【０００３】
従って、遊技の実行だけならガラス板は１枚だけでよいが、故意に大当たりを起こさせるために遊技領域に侵入させた樹脂フィルムやピアノ線等で遊技球を入賞口に導く不正行為に対する耐性を高めるために、さらにもう１枚のガラス板を遊技者側に配していた。
【０００４】
なお、このように２枚のガラス板を用いる場合には、二重のガラス板として、複層ガラスを用いる技術もある。例えば、特許文献１には、複層ガラスの構成を有する２枚のガラス板をパチンコ遊技台の前面に用いる点が記載されている。
【先行技術文献】
【特許文献】
【０００５】
【特許文献１】特開２００１−２４６１２８号公報
【発明の概要】
【発明が解決しようとする課題】
【０００６】
しかし、上述のように遊技盤の前方に２枚のガラス板を配置した場合、ガラス板が１枚である場合に比べて、樹脂フィルムやピアノ線等を用いた不正行為に対する耐性は高まるものの、故意に大当たりを起こさせるために磁石により遊技機のガラス板表面を介して遊技球を引きつけて入賞口に導く不正行為に対しては、磁石が発生させる磁気をガラス板では遮断できず、磁石を用いた不正行為を防ぐことができなかった。
【０００７】
本発明は、こうした問題に鑑みてなされたものであり、その目的は、弾球遊技機に対する磁石を用いた不正行為を防ぐ技術を提供することにある。
【課題を解決するための手段】
【０００８】
請求項１に記載の遊技盤カバー体は、弾球遊技機の前端部に形成された開口部を閉鎖しながら、前記弾球遊技機に収容された遊技盤との間に遊技領域となる空間を形成する遊技盤カバー体であって、２枚の透明な板状のガラス板からなるガラス板対と、該ガラス板対の周縁部に環状に配置され、該ガラス板対を構成する２枚のガラス板を、間隔を空けて対向配置させるスペーサーと、前記スペーサーにより対向配置された２枚のガラス板の周端面を封止するシール材と、を備えた複層ガラス構造を有し、さらに、前記ガラス板対の前記遊技盤と対向する側とは反対側に位置する面である前面に配置され、磁気を検知する一つ以上の磁気検知部を備えることを特徴とする。
【０００９】
このように構成された本発明の遊技盤カバー体によれば、磁気検知部がガラス板対の前面に配置されるので、磁気検知部が遊技盤の後方または遊技盤とガラス板の間に配置される従来技術と比較して、磁気の発生源となる磁石が遊技盤カバー体の前面側に配置された場合に、その磁石が発生させた磁気を検知するのに有利である。つまり、従来技術では、磁石と磁気検知部との間に２枚のガラス板、特に遊技盤の後方に設置された場合は更に遊技盤が存在する。これに対して本発明では、その磁石と磁気検知部との間に磁気を遮蔽する構造物が存在しないからである。このことにより、その磁石が発生させる磁気を精度よく検知することができる。さらに、このように磁気を検知した旨を通報または報知することにより、磁石を用いた不正行為の中止を促すことができ、その結果、磁石を用いた不正行為を防ぐことができる。
【００１０】
また、本発明の遊技盤カバー体によれば、複層ガラス構造を有するので、樹脂フィルムやピアノ線等を用いた不正行為に対する耐性も高い。
請求項２に記載の遊技盤カバー体は、請求項１に記載の遊技盤カバー体において、前記一つ以上の磁気検知部は、それぞれが前記ガラス板対の前面且つ周縁部に配置されることを特徴とする。
【００１１】
このように構成された本発明の遊技盤カバー体によれば、次のような作用効果を奏する。すなわち、複層ガラス構造の遊技盤カバー体を弾球遊技機に取り付ける際には、遊技盤カバー体を介して遊技領域での遊技を見る遊技者からガラス板対の周縁部が見えなくしてあるのが一般的である。本発明の遊技盤カバー体によれば、磁気検知部がガラス板対の前面且つ周縁部に配置されているので、遊技盤カバー体を介して遊技領域での遊技を見る遊技者から磁気検知部が見えにくくなり好適である。
【００１２】
請求項３に記載の遊技盤カバー体は、請求項１または請求項２に記載の遊技盤カバー体において、前記一つ以上の磁気検知部は、それぞれが磁気インピーダンス効果を利用した磁気センサーであることを特徴とする。
【００１３】
このように構成された本発明の遊技盤カバー体によれば、磁気検知部として磁気インピーダンス効果を利用した磁気センサーを用いることにより、従来の磁気抵抗素子を利用した磁気センサーやホール素子を利用した磁気センサーに比べて、磁石の磁気を検知する感度を高めることができる。
【００１４】
請求項４に記載の弾球遊技機は、遊技機設置島に固定される外枠と、前記外枠に扉状に開閉可能に取り付けられ、遊技盤を保持する中枠と、前記中枠の前面側に扉状に開閉可能に取り付けられ、前記中枠が保持する前記遊技盤を視認可能とする開口部が形成され、前記開口部を閉鎖するとともに前記遊技盤を覆う遊技盤カバー体を保持する前枠と、を備え、前記遊技盤カバー体と前記遊技盤との間に遊技領域となる空間が形成され、発射装置にて発射された遊技球が前記遊技領域を転動することで遊技を行う弾球遊技機であって、前記遊技盤カバー体は、２枚の透明な板状のガラス板からなるガラス板対と、該ガラス板対の周縁部に環状に配置され、該ガラス板対を構成する２枚のガラス板を、間隔を空けて対向配置させるスペーサーと、前記スペーサーにより対向配置された２枚のガラス板の周端面を封止するシール材と、を備えた複層ガラス構造を有し、さらに、前記ガラス板対の前記遊技盤と対向する側とは反対側に位置する面である前面に配置され、磁気を検知する一つ以上の磁気検知部を備えることを特徴とする。
【００１５】
このように構成された本発明の弾球遊技機によれば、磁気検知部がガラス板対の前面に配置されるので、磁気検知部が遊技盤の後方または遊技盤とガラス板の間に配置される従来技術と比較して、磁気の発生源となる磁石が遊技盤カバー体の前面側に配置された場合に、その磁石が発生させた磁気を検知するのに有利である。つまり、従来技術では、磁石と磁気検知部との間に２枚のガラス板、特に遊技盤の後方に設置された場合は更に遊技盤が存在する。これに対して本発明では、その磁石と磁気検知部との間に磁気を遮蔽する構造物が存在しないからである。このことにより、その磁石が発生させる磁気を精度よく検知することができる。さらに、このように磁気を検知した旨を通報または報知することにより、磁石を用いた不正行為の中止を促すことができ、その結果、磁石を用いた不正行為を防ぐことができる。
【００１６】
また、本発明の弾球遊技機によれば、遊技盤カバー体が複層ガラス構造を有するので、樹脂フィルムやピアノ線等を用いた不正行為に対する耐性も高い。
請求項５に記載の弾球遊技機は、請求項４に記載の弾球遊技機において、前記一つ以上の磁気検知部は、それぞれが前記ガラス板対の前面且つ周縁部に配置されることを特徴とする。
【００１７】
このように構成された本発明の弾球遊技機によれば、次のような作用効果を奏する。すなわち、複層ガラス構造の遊技盤カバー体を弾球遊技機に取り付ける際には、遊技盤カバー体を介して遊技領域での遊技を見る遊技者からガラス板対の周縁部が見えなくしてあるのが一般的である。本発明の弾球遊技機によれば、磁気検知部がガラス板対の前面且つ周縁部に配置されているので、遊技盤カバー体を介して遊技領域での遊技を見る遊技者から磁気検知部が見えにくくなり好適である。
【００１８】
請求項６に記載の弾球遊技機は、請求項４または請求項５に記載の弾球遊技機において、前記一つ以上の磁気検知部は、それぞれが磁気インピーダンス効果を利用した磁気センサーであることを特徴とする。
【００１９】
このように構成された本発明の弾球遊技機によれば、磁気検知部として磁気インピーダンス効果を利用した磁気センサーを用いることにより、従来の磁気抵抗素子を利用した磁気センサーやホール素子を利用した磁気センサーに比べて、磁石の磁気を検知する感度を高めることができる。
【図面の簡単な説明】
【００２０】
【図１】本実施形態のパチンコ機１の概略構成を示す正面図である。
【図２】本実施形態の遊技盤カバー体９の概略構成を示す正面図およびＡＡ断面図である。
【発明を実施するための形態】
【００２１】
以下に本発明の実施形態を図面とともに説明する。なお、以下の説明においては、パチンコ機１を構成する各部の相対的な位置関係を簡潔に説明するために、図中に併記した上下左右前後の各方向を利用して説明を行う。
【００２２】
［１．パチンコ機１の構成］
弾球遊技機の一種であるパチンコ機１は、図１に示すように、遊技機設置島に固定される外枠２と、外枠２に扉状に開閉可能に取り付けられた中枠３と、中枠３の前面側に扉状に開閉可能に取り付けられた前枠４と、を備えている。
【００２３】
外枠２は、下側の底板、上側の天板、左側の側板、右側の側板を四辺枠状に連結した構造になっている。外枠２は、パチンコ機１の外殻を構成し、パチンコ機１を遊技店に設置する際には遊技機設置島に固定される。
【００２４】
中枠３は、下側の下横部材、上側の上横部材、左側の左縦部材および右側の右縦部材から構成されている。そして、中枠３は、図示しない上下のヒンジにて外枠２に軸支され、扉状に開閉できる。また、中枠３は、遊技盤５を保持する。具体的には、中枠３は、下横部材の上面で遊技盤５の下端面を支え、両側の左縦部材および右縦部材で遊技盤５の左右を挟むようにして、遊技盤５を保持する。
【００２５】
前枠４は、外枠２に保持された中枠３に取り付けられている。すなわち、前枠４は、上下のヒンジ６ａ，６ｂにて中枠３に軸支され、扉状に開閉できる。また、前枠４には、上皿４ａ、下皿４ｂ、発射ハンドル４ｃが取り付けられている。
【００２６】
また、前枠４には、開口部７が設けられ、その周辺に電飾８が配されている。また、前枠４には、開口部７を閉鎖するとともに遊技盤５を覆う遊技盤カバー体９が開口部７の背後に装着される。遊技盤カバー体９の詳細な構成については後述する。そして、前枠４の背後の開口部７に臨んだ位置には、中枠３に保持された遊技盤５が配されている。このことにより、開口部７に装着された遊技盤カバー体９を介して遊技盤５が視認可能となっている。
【００２７】
このような構成を有するパチンコ機１は、遊技盤５と遊技盤カバー体９との間に遊技領域となる空間が形成され、図示しない発射装置にて発射された遊技球が遊技領域を転動することで遊技を行うようになっている。
【００２８】
遊技盤５は、透明な合成樹脂である（本実施例ではポリカーボネート）製である。この遊技盤５には、ガイドレール１０、１１、複合入賞装置１２、ゲート１３、大入賞口１４、普通入賞口１５、庇部材１６、ステージ１７等が取り付けられ、遊技釘１８や風車１９が打ち付けられている。
【００２９】
複合入賞装置１２は、可変入賞装置１２ａおよび始動入賞口１２ｂを備え、可変入賞装置１２ａまたは始動入賞口１２ｂに入賞した場合には大当たり抽選が行われ、これに応じて遊技盤５の背後に配された表示装置（図示省略）にて図柄の変動表示がなされる。大当たり抽選が当たりであれば、図柄の変動表示に続いて表示装置にて大当たり図柄の確定表示が行われる。その大当たり図柄の確定表示がなされると大当たり遊技の開始となって、大入賞口１４が開放される。
【００３０】
また、可変入賞装置１２ａが閉鎖状態（図示の状態）にあるときには、可変入賞装置１２ａの上方にある始動入賞口１２ｂによって可変入賞装置１２ａへの入賞を阻まれる（可変入賞装置１２ａへは、開放時しか入賞できない）。この可変入賞装置１２ａは、その左右に配されているゲート１３に遊技球が進入したことに起因する抽選で当たりになると開放される。
【００３１】
また、庇部材１６とステージ１７とに挟まれた領域（主表示領域２０）には、遊技釘１８が打ち付けられておらず、他の装置類も配されていない。この主表示領域２０は、遊技盤５の背後に配された表示装置による図柄の変動表示や、背景画像やキャラクタ等の画像の表示を良好に視認させるための領域である。
【００３２】
次に、本発明が適用された遊技盤カバー体９について説明する。
図２に示す遊技盤カバー体９は、２枚の透明な板状のガラス板３１ａ，３１ｂからなるガラス板対３２と、ガラス板対３２の周縁部に環状に配置され、ガラス板対３２を構成する２枚のガラス板３１ａ，３１ｂを、間隔を空けて対向配置させるスペーサー３３と、スペーサー３３により対向配置された２枚のガラス板３１ａ，３１ｂの周端面を封止するシール材３４と、を備えた複層ガラス構造を有する。
【００３３】
また、遊技盤カバー体９は、４つの磁気検知部３６ａ，３６ｂ，３６ｃ，３６ｄと、回路基板３７と、を備える。
各磁気検知部３６ａ，３６ｂ，３６ｃ，３６ｄは、磁気インピーダンス効果を利用した磁気センサーであり、磁気を検知する。なお、磁気インピーダンス効果とは、周方向に磁区が形成されたアモルファス線の線長さ方向に磁界をかけると透磁率の変化に基づいて線の両端に印加している電圧が変わるという現象である。この磁気インピーダンス効果を利用した磁気センサーは、磁気抵抗素子を利用した磁気センサーやホール素子を利用した磁気センサーに比べて高感度であるという特長がある。
【００３４】
ここで、ガラス板対３２の遊技盤５と対向する側に位置する面を対向面３２ａとし、この対向面３２ａとは反対側の面を前面３２ｂとする。４つの磁気検知部３６ａ，３６ｂ，３６ｃ，３６ｄは、それぞれがガラス板対３２の前面３２ｂ且つ周縁部に設置されている。具体的には、一つ目の磁気検知部３６ａは、ガラス板対３２の前面３２ｂにおける上端中央付近に配置されている。二つ目の磁気検知部３６ｂは、ガラス板対３２の前面３２ｂにおける下端中央付近に配置されている。三つ目の磁気検知部３６ｃは、ガラス板対３２の前面３２ｂにおける左端中央付近に配置されている。四つ目の磁気検知部３６ｄは、ガラス板対３２の前面３２ｂにおける右端中央付近に配置されている。
【００３５】
このように設置された４つの磁気検知部３６ａ，３６ｂ，３６ｃ，３６ｄによって磁気が検知される範囲には、遊技盤カバー体９全体が含まれるようになっており、磁気の発生源となる磁石が遊技盤カバー体９の前面側に配置された場合に、その磁石が発生させた磁気を検知することができる。
【００３６】
回路基板３７は、ガラス板対３２の前面３２ｂのうちガラス板対３２の周縁部に設置されている。具体的には、回路基板３７は、ガラス板対３２の前面３２ｂにおける下端右隅付近に配置されている。
【００３７】
そして、回路基板３７には、４つの磁気検知部３６ａ，３６ｂ，３６ｃ，３６ｄが信号線３８ａ，３８ｂ，３８ｃ，３８ｄ，３８ｅを介して接続されており、回路基板３７は、４つの磁気検知部３６ａ，３６ｂ，３６ｃ，３６ｄそれぞれの検出信号を取得することができる。そして、回路基板３７は、取得した検出信号が示す磁気の検知結果に基づき、磁石を用いた不正行為の有無を判定する。例えば、磁気検知部３６ａ，３６ｂ，３６ｃ，３６ｄによって検知された磁気の値が所定時間を超えて閾値以上である場合に、磁石を用いた不正行為が存在すると判定するといった具合である。なお、所定時間および閾値については、磁気検知部３６ａ，３６ｂ，３６ｃ，３６ｄによる磁気の検知結果に基づき磁石を用いた不正行為の有無を判定する観点から予め実験等により設定される。
【００３８】
また、回路基板３７には、接続端子３９が信号線４０を介して接続されている。接続端子３９は、遊技盤カバー体９における右側面の下端付近に設置されている。
さらに、接続端子３９には、パチンコ機１側の警報装置４１が信号線４２を介して接続されており、回路基板３７は、信号線４０、接続端子３９および信号線４２を介して警報装置４１に信号を出力することができる。このため、回路基板３７は、磁石を用いた不正行為が存在すると判定した場合には、警報装置４１を制御して警報音を発生させることができる。また、警報装置４１を制御してランプを点灯させるようにしてもよい。
【００３９】
［２．効果］
（１）本実施形態の遊技盤カバー体９によれば、磁気検知部３６ａ，３６ｂ，３６ｃ，３６ｄがガラス板対３２の前面３２ｂのうちガラス板対３２の周縁部に設置されるので、磁気検知部が遊技盤の後方または遊技盤とガラス板の間に配置される従来技術と比較して、磁気の発生源となる磁石が遊技盤カバー体９の前面側に配置された場合に、その磁石が発生させた磁気を検知するのに有利である。つまり、従来技術では、磁石と磁気検知部との間に２枚のガラス板、特に遊技盤の後方に設置された場合は更に遊技盤が存在する。これに対して本実施形態の遊技盤カバー体９では、その磁石と磁気検知部３６ａ，３６ｂ，３６ｃ，３６ｄとの間に磁気を遮蔽する構造物が存在しないからである。このことにより、その磁石が発生させる磁気を精度よく検知することができる。さらに、このように磁気を検知した旨をパチンコ機１の警報装置４１を用いて警報音を発生させたりランプを点灯させたりすることにより、磁石を用いた不正行為の中止を促すことができ、その結果、磁石を用いた不正行為を防ぐことができる。
【００４０】
（２）また、本実施形態の遊技盤カバー体９によれば、複層ガラス構造を有するので、樹脂フィルムやピアノ線等を用いた不正行為に対する耐性も高い。
（３）また、本実施形態の遊技盤カバー体９によれば、次のような作用効果を奏する。すなわち、複層ガラス構造の遊技盤カバー体９をパチンコ機１に取り付ける際には、遊技盤カバー体９を介して遊技領域での遊技を見る遊技者から遊技盤カバー体９のガラス板対３２の周縁部が見えなくしてあるのが一般的である。本実施形態の遊技盤カバー体９によれば、磁気検知部３６ａ，３６ｂ，３６ｃ，３６ｄがガラス板対３２の前面３２ｂ且つ周縁部に配置されているので、遊技盤カバー体９を介して遊技領域での遊技を見る遊技者から磁気検知部３６ａ，３６ｂ，３６ｃ，３６ｄが見えにくくなり好適である。
【００４１】
（４）また、本実施形態の遊技盤カバー体９によれば、磁気検知部３６ａ，３６ｂ，３６ｃ，３６ｄは、それぞれが磁気インピーダンス効果を利用した磁気センサーであるので、従来の磁気抵抗素子を利用した磁気センサーやホール素子を利用した磁気センサーに比べて、磁石の磁気を検知する感度を高めることができる。
【００４２】
（５）また、本実施形態のパチンコ機１によれば、上記（１）〜（４）と同様の作用効果を奏する。
［３．他の実施形態］
以上、本発明の実施形態について説明したが、本発明は上記実施形態に限定されることなく、種々の形態を採り得る。
【００４３】
（１）上記実施形態では、４つの磁気検知部３６ａ，３６ｂ，３６ｃ，３６ｄがガラス板対３２の前面３２ｂ且つ周縁部に設置されているが、これには限定されない。磁気検知部によって磁気が検知される範囲には、遊技盤カバー体９全体が含まれるようになっているのであれば、磁気検知部の個数は１つでもよいし、２つ以外の複数個でもよい。
【００４４】
（１−１）例えば、１つの磁気検知部をガラス板対３２の前面３２ｂ且つ周縁部に配置するようにしてもよい。磁気検知部をガラス板対３２の前面３２ｂにおける上端中央付近または下端中央付近に配置するといった具合である。
【００４５】
（１−２）また、２つの磁気検知部をガラス板対３２の前面３２ｂ且つ周縁部に配置するようにしてもよい。２つの磁気検知部をガラス板対３２の前面３２ｂにおける上端中央付近および下端中央付近にそれぞれ配置するといった具合である。２つの磁気検知部をガラス板対３２の前面３２ｂにおける左端中央付近および右端中央付近にそれぞれ配置してもよい。
【００４６】
（１−３）また、６つの磁気検知部をガラス板対３２の前面３２ｂ且つ周縁部に配置するようにしてもよい。上実施形態のガラス板対３２の前面３２ｂにおける上端中央付近および下端中央付近に配置された磁気検知部に代えて、ガラス板対３２の前面３２ｂにおける上端の左右および下端の左右に磁気検知部をそれぞれ配置するようにしてもよい。また、上実施形態のガラス板対３２の前面３２ｂにおける左端中央付近および右端中央付近に配置された磁気検知部に代えて、ガラス板対３２の前面３２ｂにおける左端の上下および右端の上下に磁気検知部をそれぞれ配置するようにしてもよい。
【００４７】
（２）上記実施形態では、磁石を用いた不正行為が存在すると判定した場合には、回路基板３７が警報装置４１を制御して警報音を発生させたりランプを点灯させたりするが、これには限定されない。例えば、磁石を用いた不正行為が存在すると判定した場合には、回路基板３７が、磁石を用いた不正行為が存在する旨を示す信号を送信して、遊技店側に知らせるようにしてもよい。また、遊技機設置島にてランプを点灯させて、遊技者に不正行為の中止を促すようにしてもよい。
【００４８】
（３）上記実施形態における１つの構成要素が有する機能を複数の構成要素として分散させたり、複数の構成要素が有する機能を１つの構成要素に統合させたりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００４９】
１…パチンコ機、２…外枠、３…中枠、４…前枠、４ａ…上皿、４ｂ…下皿、４ｃ…発射ハンドル、５…遊技盤、６ａ，６ｂ…ヒンジ、７…開口部、８…電飾、９…遊技盤カバー体、１０…ガイドレール、１２…複合入賞装置、１２ａ…可変入賞装置、１２ｂ…始動入賞口、１３…ゲート、１４…大入賞口、１５…普通入賞口、１６…庇部材、１７…ステージ、１８…遊技釘、１９…風車、２０…主表示領域、３１ａ，３１ｂ…ガラス板、３２…ガラス板対、３２ａ…ガラス板対の対向面、３２ｂ…ガラス板対の前面、３３…スペーサー、３４…シール材、３６ａ，３６ｂ，３６ｃ，３６ｄ…磁気検知部、３７…回路基板、３８ａ，３８ｂ，３８ｃ，３８ｄ，３８ｅ，４０，４２…信号線、３９…接続端子、４１…警報装置。
【図１】
2017086680.tif 000003
【図２】
2017086680.tif 000004